(57)【要約】【課題】対物レンズの移動距離を短くすることにより小型化を可能にした２波長対応光ピックアップを提供する。【解決手段】コリメータレンズ２４は、ＤＶＤ用レーザ光Ｌ１を平行光に変換し、またＣＤ用レーザ光Ｌ２を拡散光に変換する。開口制限板２６は、ＣＤ用レーザ光Ｌ２に関して開口制限を行う。対物レンズ２７は、ＤＶＤ用レーザ光Ｌ１をＤＶＤの記録面上に集光し、また、ＣＤ用レーザ光Ｌ２をＣＤの記録面上に集光する。ＣＤ用レーザ光Ｌ２が拡散光として対物レンズ２７に入射するので、集光点が遠くなり、その分だけ対物レンズ２７を移動させる距離を短くできる。【選択図】      図３
2005025799.tif 000002
【特許請求の範囲】
【請求項１】
互いに波長の異なる第１及び第２のレーザ光を共通のコリメータレンズ及び対物レンズを介して選択的に光学的記録媒体に照射する２波長対応型の光ピックアップにおいて、
前記コリメータレンズ及び前記対物レンズは、これらの間が前記第１のレーザ光に対しては無限光学系となり、前記第２のレーザ光に対しては有限光学系となるように構成されていることを特徴とする光ピックアップ。
【請求項２】
前記コリメータレンズは、前記第１のレーザ光を平行光に変換し、前記第２のレーザ光の平行光に変換することなく広がり角を変更し、
前記対物レンズは、前記コリメータレンズからの前記第１のレーザ光及び前記第２のレーザ光をそれぞれ集光することを特徴とする請求項１に記載の光ピックアップ。
【請求項３】
前記対物レンズは、前記第１のレーザ光に対応するよう形成されており、前記コリメータレンズは、前記第２のレーザ光が前記対物レンズを透過する際に球面収差を生じないようにするための回折手段を備えていることを特徴とする請求項１又は２に記載の光ピックアップ。
【請求項４】
前記コリメータレンズと前記対物レンズとの間に、開口数を変更するための開口制限板を設けたことを特徴とする請求項１，２又は３に記載の光ピックアップ。
【請求項５】
前記開口制限板は、前記第１のレーザ光を透過させ、前記第２のレーザ光を反射、吸収又は回折させる波長選択性フィルタであるであることを特徴とする請求項４に記載の光ピックアップ。
【請求項６】
前記開口制限板に代えて開口制限膜を前記対物レンズの表面に形成したことを特徴とする請求項４又は５に記載の光ピックアップ。
【請求項７】
前記開口制限膜が前記対物レンズの表面に蒸着された蒸着膜であることを特徴とする請求項６に記載の光ピックアップ。
【発明の詳細な説明】
【０００１】
【発明の属する技術分野】
本発明は、光学的記録媒体（光ディスク）の記録又は再生を行なう光ピックアップに関し、特に、２波長対応光ピックアップの改良に関する。
【０００２】
【従来の技術】
光ピックアップとは、光ディスクの記録又は再生を行なう装置である。光ディスクとしては、ＤＶＤ（ディジタル・バーサタイル・ディスク又はデジタル・ビデオ・ディスク）やＣＤ（コンパクト・ディスク）などがある。ＣＤには、１回限りの記録ができる書込みＣＤであるＣＤ−Ｒ（ＣＤ  Ｒｅｃｏｒｄａｂｌｅ）や、相変化記録方式を使った書き換えＣＤであるＣＤ−ＲＷ（ＣＤ  Ｒｅｗｒｉｔａｂｌｅ）などがある。一方、ＤＶＤには、１回限りの記録ができる書込みＤＶＤであるＤＶＤ−Ｒ（ＤＶＤ  Ｒｅｃｏｒｄａｂｌｅ）や、ＤＶＤ−ＲＡＭと対立するソニー独自の書き換えフォーマットをもつＤＶＤ＋ＲＷ（ＤＶＤ＋Ｒｅｗｒｉｔａｂｌｅ）、ＤＶＤ−Ｒの書き換え版であるＤＶＤ−ＲＷ（ＤＶＤ  Ｒｅｗｒｉｔａｂｌｅ）などがある。
【０００３】
ＤＶＤプレーヤにおいては、ＤＶＤとＣＤとのいずれにも記録又は再生を可能にするために特別の光ピックアップが搭載されたものが存在している。この種の特別の光ピックアップは、ＤＶＤ用の短波長レーザ光（波長６５０ｎｍ帯）とＣＤ用の長波長レーザ光（波長７８０ｎｍ帯）との２種類のレーザ光を使い分けて記録又は再生を行うためのものであり、２波長対応光ピックアップと呼ばれている。
【０００４】
このような２波長対応光ピックアップは例えば特許文献１に開示されている。
【０００５】
以下、図１を参照して、特許文献１に第３の従来例として挙げられている、従来の２波長対応光ピックアップについて説明する。図１は従来の２波長対応光ピックアップの光学系のシステム構成図である。
【０００６】
図示の２波長対応光ピックアップは、２波長レーザ１１と、回折格子１２と、偏光ビームスプリッタ１３と、反射ミラー１４と、コリメータレンズ１５と、対物レンズ１６と、拡大レンズ１７と、光検出器１８とを有している。
【０００７】
２波長レーザ１１は、ＤＶＤ用の波長が６５０ｎｍ帯の第１のレーザ光Ｌ１を出射させる第１のレーザダイオード（図示せず）と、ＣＤ用の波長が７８０ｎｍ帯の第２のレーザ光Ｌ２を出射させる第２のレーザダイオード（図示せず）とが集積された半導体チップを有している。第１のレーザダイオードと第２のレーザダイオードの相互距離（発光点間距離）は、約１００μｍであって、±１μｍの距離精度で作製することが可能である。
【０００８】
回折格子１２は、２波長レーザ１１からの１本のレーザ光を３本の光束に分岐させる。ここで、３本の光束のうち、中央の光束はメインビームと呼ばれ、その両側の２本の光束はサブビームと呼ばれる。
【０００９】
偏光ビームスプリッタ１３は、回折格子１２からの３本の光束を反射すると共に、後述するように戻り光（光ディスクからの反射光）を透過させるためのものである。
【００１０】
反射ミラー１４は偏光ビームスプリッタ１３で反射されたレーザ光の進行方向を９０度折り曲げるように反射する。コリメータレンズ１５は、反射ミラー１４で反射されたレーザ光を平行光に変換し、対物レンズ１６へ入射させる。対物レンズ１６は、入射するレーザ光を光ディスクの記録面に集光する。また、これら対物レンズ１６、コリメータレンズ１５、および反射ミラー１４は、光ディスクで反射されたレーザ光を戻り光として、偏光ビームスプリッタ１３へ入射させる。
【００１１】
拡大レンズ１７は、光検出器１８における検出精度を向上させるために、偏光ビームスプリッタ１３からの戻り光を一軸方向に関して拡大する。光検出器１８は、拡大レンズ１７で拡大された戻り光を検出し、その光強度に応じた電気信号を発生する。尚、光検出器１８は、図示はしないが、ＣＤ用の受光素子とＤＶＤ用の受光素子との２種類の受光素子を内部に備えている。
【００１２】
次に、この光ピックアップの動作について説明する。２波長レーザ１１は、光ディスクがＤＶＤの場合は、第１のレーザダイオードを駆動し、光ディスクがＣＤの場合は、第２のレーザダイオードを駆動する。これらのレーザダイオードは、互いに１００μｍ程度離れているので、第１のレーザ光Ｌ１と第２のレーザ光Ｌ２とは、互いに平行ではあるが、その光軸（光束の中心軸）が図の左右方向に離れている。
【００１３】
最初に、ＤＶＤを再生するときの動作について説明する。この場合、２波長レーザ１１の第１のレーザダイオードから出射した発振波長が６５０ｎｍ帯の第１のレーザ光Ｌ１は、回折格子１２で３本のレーザ光（光束）に分離され、偏光ビームスプリッタ１３に入射する。この偏光ビームスプリッタ１３に入射した第１のレーザ光Ｌ１は、ここで９０度の角度折り曲げるように反射され、反射ミラー１４へ向けて出射される。
【００１４】
反射ミラー１４で第１のレーザ光Ｌ１は９０度の角度折り曲げるように上方に反射して、その上方に配置したコリメータレンズ１６に入射する。このコリメータレンズ１６で平行光にされた第１のレーザ光Ｌ１は、対物レンズ１６で収束されて、ＤＶＤの記録面に照射される。
【００１５】
ＤＶＤは、その記録面に形成された情報に応じて第１のレーザ光Ｌ１を反射する。この記録面からの反射光は、再び、対物レンズ１６及びコリメータレンズ１６を透過し、反射ミラー１４で反射された後、偏光ビームスプリッタ１３を透過して、拡大レンズ１７に入射する。拡大レンズ１７において戻り光Ｌ１が光検出器１８内のＣＤ用受光素子で受光するために最適なスポットに変換された後、光検出器１８に入射される。
【００１６】
ＤＶＤ用受光素子で受光した戻り光Ｌ１は電気信号に変換される。尚、このＤＶＤ用受光素子で受光された戻り光Ｌ１の一部は、フォーカス制御およびトラッキング制御のために用いられる。
【００１７】
次に、ＣＤを再生するときの動作について説明する。この場合、２波長レーザ１１の第２のレーザダイオードから出射した発振波長が７８０ｎｍ帯の第２のレーザ光Ｌ２は、回折格子１２で３本のレーザ光（光束）に分離され、偏光ビームスプリッタ１３に入射する。この偏光ビームスプリッタ１３に入射した第２のレーザ光Ｌ２は、ここで９０度の角度折り曲げるように反射され、反射ミラー１４へ向けて出射される。
【００１８】
反射ミラー１４で第２のレーザ光Ｌ２は９０度の角度折り曲げるように上方に反射して、その上方に配置したコリメータレンズ１６に入射する。このコリメータレンズ１６で平行光にされた第２のレーザ光Ｌ２は、対物レンズ１６で収束されて、ＣＤの記録面に照射される。
【００１９】
ＣＤは、その記録面に形成された情報に応じて第２のレーザ光Ｌ２を反射する。この記録面からの反射光は、再び、対物レンズ１６及びコリメータレンズ１６を透過し、反射ミラー１４で反射された後、偏光ビームスプリッタ１３を透過して、拡大レンズ１７に入射する。拡大レンズ１７において戻り光Ｌ２が光検出器１８内のＤＶＤ用受光素子で受光するために最適なスポットに変換された後、光検出器１８に入射される。
【００２０】
ＣＤ用受光素子で受光した戻り光Ｌ２は電気信号に変換される。尚、このＣＤ用受光素子で受光された戻り光Ｌ２の一部は、フォーカス制御およびトラッキング制御のために用いられる。
【００２１】
【特許文献１】
特開２００１−１９５７６７号公報
【００２２】
【発明が解決しようとする課題】
従来の２波長対応光ピックアップは、上述したように、ＤＶＤ用の第１のレーザ光Ｌ１及びＣＤ用の第２のレーザ光Ｌ２のいずれについてもコリメータレンズで平行光に変換してから対物レンズに入射するように構成されている。そして、対物レンズとして二波長用対物レンズを用いることにより、第１のレーザ光Ｌ１及び第２のレーザ光Ｌ２が、それぞれ収差なく集光されるようにしている。
【００２３】
しかしながら、ＤＶＤとＣＤには、０．６ｍｍほどの厚みの違いがある。このため、第１及び第２のレーザ光Ｌ１及びＬ２を、ＤＶＤ及びＣＤの記録面上に夫々集光させるためには、光ディスクの種類に応じて対物レンズを光軸方向に移動させる必要がある。具体的には、第２のレーザ光Ｌ２をＣＤの記録面上に集光させるには、第１のレーザ光Ｌ１をＤＶＤ上の記録面上に集光させる場合に比べて約０．３９ｍｍ（＝ディスク厚差０．６ｍｍ／ディスクの屈折率１．５３）ディスクに近づける必要がある。
【００２４】
それゆえ、従来の２波長対応光ピックアップには、対物レンズの移動距離が長く、対物レンズを移動させるアクチュエータとして可動範囲の広い大型のアクチュエータが必要であり、小型化が阻害されているという問題点がある。
【００２５】
そこで、本発明は、対物レンズの移動距離を短くすることにより小型化を可能にした２波長対応光ピックアップを提供することを目的とする。
【００２６】
【課題を解決するための手段】
本発明によれば、互いに波長の異なる第１及び第２のレーザ光（Ｌ１及びＬ２）を共通のコリメータレンズ（２４）及び対物レンズ（２７）を介して選択的に光学的記録媒体（ＤＶＤ又はＣＤ）に照射する２波長対応型の光ピックアップにおいて、
前記コリメータレンズ（２４）及び前記対物レンズ（２７）は、これらの間が前記第１のレーザ光に対しては無限光学系となり、前記第２のレーザ光に対しては有限光学系となるように構成されていることを特徴とする光ピックアップが選られる。
【００２７】
具体的には、前記コリメータレンズ（２４）は、前記第１のレーザ光（Ｌ１）を平行光に変換し、前記第２のレーザ光（Ｌ２）の平行光に変換することなく広がり角を変更し、前記対物レンズ（２７）は、前記コリメータレンズ（２４）からの前記第１のレーザ光（Ｌ１）及び前記第２のレーザ光（Ｌ２）をそれぞれ集光する。
【００２８】
また、前記コリメータレンズ（２４）と前記対物レンズ（２７）との間には、開口数を変更するための開口制限板（２６）が設けられる。あるいは、前記開口制限板に代えて開口制限膜が前記対物レンズの表面に形成される。
【００２９】
なお、上記かっこ内の参照符号は、本発明の理解を容易にするために付したものであり、何ら本発明を限定するものではない。
【００３０】
【発明の実施の形態】
以下、本発明の実施の形態について図面を参照して詳細に説明する。
【００３１】
図２、図３及び図４を参照して、本発明の第１の実施の形態に係る光ピックアップについて説明する。
【００３２】
図２は光ディスクがＤＶＤである場合の光ピックアップの光学系のシステム構成図であり、図３は光ディスクがＣＤである場合の光ピックアップの光学系のシステム構成図である。
【００３３】
図示の光ピックアップは、２波長レーザ２１と、回折手段２２と、ビームスプリッタ２３と、コリメータレンズ２４と、反射ミラー２５と、開口制限板２６と、対物レンズ２７と、拡大レンズ２８と、光検出器２９と、フォワードセンサ３０とを有する。
【００３４】
２波長レーザ２１は、ＤＶＤ用の波長６５０ｎｍ帯の第１のレーザ光Ｌ１を出射させる第１のレーザダイオード（図示せず）と、ＣＤ用の波長７８０ｎｍ帯の第２のレーザ光Ｌ２を出射させる第２のレーザダイオード（図示せず）とが集積された半導体チップを有している。第１のレーザダイオードと第２のレーザダイオードの相互距離（発光点間距離）は、約１００μｍであって、±１μｍの距離精度で作製することが可能である。
【００３５】
回折手段２２は、２波長レーザ２１からの１本のレーザ光を３本の光束に分岐させる。ここで、３本の光束のうち、中央の光束はメインビームと呼ばれ、その両側の２本の光束はサブビームと呼ばれる。
【００３６】
ビームスプリッタ２３は、回折手段２２からの３本の光束を反射すると共に、後述するように戻り光（光ディスクからの反射光）を透過させるためのものである。
【００３７】
コリメータレンズ２４は、ビームスプリッタ２３で反射された第１のレーザ光Ｌ１を平行光に変換し、第２のレーザ光Ｌ２を拡散光に変換するためのものである。つまり、コリメータレンズ２４は対物レンズ２７との間で、第１のレーザ光Ｌ１に対しては無限光学系を、第２のレーザ光Ｌ２に対しては有限光学系を構成する。このように、コリメータレンズ２４は、第１のレーザ光と第２のレーザ光とに対して異なる作用をするように、その入射面に回折手段が形成されている。この回折手段としては例えば溝等がある。
【００３８】
反射ミラー２５はコリメータレンズ２４からの平行光又は拡散光を直角に折り曲げるように反射して、対物レンズ２７側へ導出するためのものである。
【００３９】
開口制限板２６は、反射ミラーからの第１のレーザ光Ｌ１を透過させ、第２のレーザ光Ｌ２を開口制限して透過させるためのものである。具体的には、図４（ａ）及び（ｂ）に示すように、開口制限板２６の一面であってその周縁部に、第１のレーザ光を透過させ、かつ第２のレーザ光Ｌ２を反射、吸収、または回折させる波長選択性膜４１が設けられている。
【００４０】
対物レンズ２７は開口制限板２６を透過した（開口制限された）レーザ光を光ディスクの記録面に集光する。この対物レンズ２７は、第１のレーザ光Ｌ１（平行光）を１点に集光させるように設計・製造されたＤＶＤ専用レンズであるが、コリメータレンズ２４との相互作用により第２のレーザ光Ｌ２をも１点に、即ち球面収差なく集光させることができる。つまり、コリメータレンズ２４に形成された回折手段により、第２のレーザ光Ｌ２がＤＶＤ専用レンズを透過する際に生じる球面収差は補正される。
【００４１】
上述した対物レンズ２７、開口制限板２６、反射ミラー２５、およびコリメータレンズ２４は、また、光ディスクで反射されたレーザ光を戻り光として、ビームスプリッタ２３へ入射させる。
【００４２】
拡大レンズ２８は、光検出器２９における検出精度を向上させるために、ビームスプリッタ２３からの戻り光を一軸方向に関して拡大する。光検出器２９は、拡大レンズ２８で拡大された戻り光を検出し、その光強度に応じた電気信号を発生する。尚、光検出器２９は、後述するように、ＤＶＤ用の受光素子とＣＤ用の受光素子との２種類の受光素子を内部に備えている。
【００４３】
フォーワードセンサ３０は、ビームスプリッタ２３を透過してきたレーザ光の光量をモニタする。
【００４４】
次に、図２および図３に示した光ピックアップの動作について説明する。最初に、図２及び図４（ａ）を参照して、光ディスクとしてＤＶＤを使用した場合の動作について説明し、その後で図３及び図４（ｂ）を参照して、光ディスクとしてＣＤを使用した場合の動作について説明する。
【００４５】
図２を参照して、ＤＶＤを再生するとき、２波長レーザ２１の第１のレーザダイオードから出射した発振波長が６５０ｎｍ帯の第１のレーザ光Ｌ１は、回折手段２２で３本のレーザ光（光束）に分離され、ビームスプリッタ２３に入射する。ビームスプリッタ２３は、入射したレーザ光を反射光と透過光とに一定割合で分離する。フォワードセンサ３０は、このビームスプリッタ２３を透過してきたレーザ光の光量をモニタする。
【００４６】
一方、ビームスプリッタ２３で反射されたレーザ光は、コリメータレンズ２４で平行光にされた後、反射ミラー２５で直角に反射される。この反射ミラー２５で反射された平行光は、図４（ａ）に示すように、開口制限板２６を透過し対物レンズ２７を介してＤＶＤの信号記録面へ集光（照射）される。
【００４７】
ＤＶＤは、その信号記録面に形成された情報に応じて第１のレーザ光Ｌ１を反射する。この記録面からの反射光は、再び、対物レンズ２７、開口制限板２６を透過し、反射ミラー２５で反射された後、コリメータレンズ２４およびビームスプリッタ２３を透過して、拡大レンズ２８に入射する。拡大レンズ２８において戻り光Ｌ１が光検出器２９内のＤＶＤ用受光素子で受光するために最適なスポットに変換された後、光検出器２９に入射される。
【００４８】
ＤＶＤ用受光素子で受光した戻り光Ｌ１は電気信号に変換される。尚、このＣＤ用受光素子で受光された戻り光Ｌ１の一部は、フォーカス制御およびトラッキング制御のために用いられる。
【００４９】
次に、図３及び図４（ｂ）を参照して、ＤＶＤを再生するとき、２波長レーザ２１の第２のレーザダイオードから出射した発振波長が６５０ｎｍ帯の第２のレーザ光Ｌ２は、回折手段２２で３本のレーザ光（光束）に分離され、ビームスプリッタ２３に入射する。ビームスプリッタ２３は、入射したレーザ光を反射光と透過光とに一定割合で分離する。フォワードセンサ３０は、このビームスプリッタ２３を透過してきたレーザ光の光量をモニタする。
【００５０】
一方、ビームスプリッタ２３で反射されたレーザ光は、コリメータレンズ２４で拡散光にされた後、反射ミラー２５で直角に反射される。この反射ミラー２５で反射された拡散光は、図４（ｂ）に示すように開口制限板２６でその開口が制限された後、対物レンズ２７を介してＣＤの信号記録面へ集光（照射）される。
【００５１】
ＣＤは、その信号記録面に形成された情報に応じて第２のレーザ光Ｌ２を反射する。この記録面からの反射光は、再び、対物レンズ２７、開口制限板２６を透過し、反射ミラー２５で反射された後、コリメータレンズ２４およびビームスプリッタ２３を透過して、拡大レンズ２８に入射する。拡大レンズ２８において戻り光Ｌ２が光検出器２９内のＤＶＤ用受光素子で受光するために最適なスポットに変換された後、光検出器２９に入射される。
【００５２】
ＣＤ用受光素子で受光した戻り光Ｌ２は電気信号に変換される。尚、このＣＤ用受光素子で受光された戻り光Ｌ２の一部は、フォーカス制御およびトラッキング制御のために用いられる。
【００５３】
以上のように、本実施の形態に係る光ピックアップでは、コリメータレンズ２４を用いて第２のレーザ光Ｌ２を拡散光にするようにしたことで、第２のレーザ光Ｌ２に関して対物レンズ２８から集光点までの距離を従来のものより大きくすることができる。その結果、図５（ａ）及び（ｂ）からも理解されるように、第２のレーザ光Ｌ２をＣＤ上に集光させるために必要となる対物レンズの移動距離を従来よりも短くすることができる。従って、対物レンズを移動させるためのアクチュエータとして、従来よりも可動範囲が小さい０．１８〜０．２０ｍｍである小型のアクチュエータを用いることができる。これにより、光ピックアップの小型化を実現することができる。
【００５４】
次に、本発明の第２の実施の形態について説明する。本実施の形態に係る光ピックアップは、その構成が第１の実施の形態に係る光ピックアップと殆ど同じである。よって、以下では異なる部分についてのみ説明する。
【００５５】
本実施の形態に係る光ピックアップでは、図６（ａ）及び（ｂ）に示すように、開口制限板２６に代わる開口制限膜６１が対物レンズ２８の表面に形成されている。この開口制限膜６１は、開口制限板２６の表面に形成された波長選択性膜４１と同様に、第１のレーザ光を透過させ、かつ第２のレーザ光Ｌ２を反射、吸収、または回折させる。この開口制限膜６１が形成された対物レンズ２８では、第１のレーザ光についての開口数を０．５８〜０．６５とすると、第２のレーザ光についての開口数を０．４５〜０．５５とすることができる。
【００５６】
対物レンズ２８の表面への開口制限膜６１の形成は、例えば、図７（ａ）に示すような開口部を持つマスクを用い、図７（ｂ）に示すように蒸着によって行うことができる。こうして形成された蒸着膜は、図７（ｃ）に示すような形状となる。この蒸着膜としては、例えば、波長６５０〜６６０ｎｍの光に対して９０％以上の透過率を有し、７８０〜７９０ｎｍの光に対して１０以下の透過率を有するものであればよい。
【００５７】
本実施の形態に係る光ピックアップによれば、開口制限板を削除できるので、部品点数の削減と、コストの低減を実現することができる。
【００５８】
以上本発明について実施の形態に即して説明したが、本発明は上述した実施の形態に限定されず、本発明の要旨を逸脱しない範囲内で種々の変更・変形が可能である。
【００５９】
【発明の効果】
本発明によれば、コリメータレンズと対物レンズとの間を、第１のレーザ光に対しては無限光学系となるように、第２のレーザ光に対しては有限光学系となるように構成したことで、第１のレーザ光及び第２のレーザ光をそれぞれ対応する光学的記録媒体上に集光させるために必要となる対物レンズの移動距離を短くできる。その結果、小型のアクチュエータを用いることができ、光ピックアップの小型化が実現できる。
【図面の簡単な説明】
【図１】従来の光ピックアップの光学系システムの構成を示す図である。
【図２】本発明の一実施の形態に係る光ピックアップの光学系システムの構成を示す図であって、光ディスクがＤＶＤの場合を示す図である。
【図３】図２の光学系システムをＣＤに用いた場合を示す図である。
【図４】開口制限板の作用について説明するための図であって、（ａ）はＤＶＤ用の第１のレーザ光が入射する場合、（ｂ）はＣＤ用の第２のレーザ光が入射する場合を示す図である。
【図５】対物レンズの移動距離について説明するための図であって、（ａ）は従来の光ピックアップの場合、（ｂ）は本発明の第１の実施の形態に係る光ピックアップの場合を示す図である。
【図６】本発明の第２の実施の形態に係る光ピックアップに用いられる対物レンズの構成及び作用を説明するための図であって、（ａ）はＤＶＤ用の第１のレーザ光が入射する場合、（ｂ）はＣＤ用の第２のレーザ光が入射する場合をそれぞれ示す図である。
【図７】（ａ）は図６の対物レンズに開口制限膜を形成する際に使用されるマスクの開口部形状を示す図、（ｂ）は（ａ）の開口部を有するマスクを用いて開口制限膜を形成している状態を示す図、（ｃ）は図６の対物レンズの正面図である。
【符号の説明】
１１      ２波長レーザ
１２      回折格子
１３      偏光ビームスプリッタ
１４      反射ミラー
１５      コリメータレンズ
１６      対物レンズ
１７      拡大レンズ
１８      光検出器
２１      ２波長レーザ
２２      回折手段
２３      ビームスプリッタ
２４      コリメータレンズ
２５      反射ミラー
２６      開口制限板
２７      対物レンズ
２８      拡大レンズ
２９      光検出器
３０      フォワードセンサ
【図１】
2005025799.tif 000003
【図２】
2005025799.tif 000004
【図３】
2005025799.tif 000005
【図４】
2005025799.tif 000006
【図５】
2005025799.tif 000007
【図６】
2005025799.tif 000008
【図７】
2005025799.tif 000009